(57)【要約】    【課題】  本発明の目的は、子局ユニットのサンプリング周期を短くでき、電池交換等のランニングコストを低減できるデータ計測装置を提供することにある。    【解決手段】  親局ユニット７は複数台の子局ユニット５がセンサ４のセンサ信号を順次送信するタイミング時刻を予め設定する。複数台の子局ユニット５はタイマを有する。親局ユニット７で送信タイミング時刻を子局ユニット５のタイマに予め設定し間欠動作方式によって親局ユニット７と子局ユニット５の送受信を行う。【選択図】  図１
2006003946.tif 000002
【特許請求の範囲】
【請求項１】
複数台のセンサと、前記複数台のセンサ毎に設けられ、前記複数台のセンサのセンサ信号を無線で送信する複数台の子局ユニットと、前記複数台のセンサからのセンサ信号を受信する親局ユニットとを備え、前記親局ユニットは複数台の子局ユニットが前記センサ信号を順次送信するタイミング時刻を予め設定し、前記複数台の子局ユニットから送信されるセンサ信号を順次受信するようにしたことを特徴とするデータ計測装置。
【発明の詳細な説明】
【技術分野】
【０００１】
本発明はプラント設備等のプラントデータを測定する複数台のセンサのセンサ信号を無線で送信するデータ計測装置に関する。
【背景技術】
【０００２】
一般に、プラントにおいては健全性確認および予防保全のためにプラント状態を監視する必要がある。プラント状態の監視は遠隔地の監視センタで行うようにしている。このために、プラント状態をセンサで検出し監視センタに送信するようにしている。センサのセンサ信号は、効率やコストを考慮して無線通信によって行うようにしている。このことは、例えば、下記の特許文献１に記載されている。
【０００３】
センサ信号の無線通信は、複数台のセンサ毎にセンサ信号を無線で送信する複数台の子局ユニットを設け、監視センタに設置される親局ユニットに送信するようにしている。子局ユニットは、通常、電池で駆動されるものが用いられる。
【０００４】
従来、親局ユニットはポーリング方式によって子局ユニットからセンサ信号（データ）を収集している。ポーリング方式は、親局ユニットが子局ユニットに呼び出し信号を送信して呼び出し、呼び出された子局ユニットがセンサからセンサ信号を取込んで親局ユニットに送信する。親局ユニットはセンサ信号を受信すると当該子局ユニットに受信確認の受信確認信号を送信する。
【０００５】
その後に次に呼び出す子局ユニットに呼び出し信号を送信する。以下、子局ユニット数だけ従事送受信を繰り返し、再度、最初に呼び出した子局ユニットに戻るようになる。子局ユニットは親局ユニットとの送受信を完了すると待機状態になり、次の呼び出しがあるまで待機するが、待機中も電源（電池）をＯＮ状態にしている。
のため、電力は消耗しつづける。
【０００６】
子局の数が少ないうちは子局の動作率も多く、その分待機時間は短いが、子局数が増加すると、待機時間も長くなり、無駄な電力を消費することになる。
【０００７】
また、集中ポーリング方式では親局と子局間の信号は、親局から子局へ２回、子局から親局に１回の合計３回行われているが、其の分送受信にかかる時間が長く、結果的に一つの子局がデータを送信できる間隔（サンプリングタイム）が長くなっている。
【特許文献１】特開２００２−３６７０６７号公報
【発明の開示】
【発明が解決しようとする課題】
【０００８】
従来技術は、親局ユニットと子局ユニットの間をポーリング方式で通信している。ポーリング方式は親局から子局に２回、子局から親局に１回の３回の送信が行われ送受信に要する時間が長くなり、一つの子局ユニットがデータ（センサ信号）を送信できるサンプリング周期が長くなるという問題点を有する。また、子局ユニットは待機中も電源（電池）をＯＮ状態にしているので電力消費が大きく、電池交換等のランニングコストが上昇するという問題点もある。
【０００９】
本発明の目的は、子局ユニットのサンプリング周期を短くでき、電池交換等のランニングコストを低減できるデータ計測装置を提供することにある。
【課題を解決するための手段】
【００１０】
本発明の特徴とするところは、親局ユニットは複数台の子局ユニットがセンサ信号を順次送信するタイミング時刻を予め設定し、複数台の子局ユニットから送信されるセンサ信号を順次受信するようにしたことにある。つまり、複数台の子局ユニットにタイマを設け，親局ユニットで送信タイミング時刻を子局ユニットのタイマに予め設定し間欠動作方式によって親局ユニットと子局ユニットの送受信を行うものである。
【００１１】
本発明は間欠動作方式によって送受信しており、親局ユニットが子局ユニットに送信タイミング時刻を設定すると子局ユニットから送信タイミング時刻にセンサ信号が送信されるので全子局との送受信にかかる時間を短縮でき、サンプリング周期を短くすることができる。また、子局ユニットは待機状態ではタイマ監視のみが動作するだけであり電池の消費電力を小さくできる。
【発明の効果】
【００１２】
本発明はデータのサンプリング周期を短くできるので広範囲に亘り高精度な計測ができ、また、電池の電力消耗を小さくできるためにコスト低減が図れる。本発明は子局ユニット数が多くなるほど、その効果が顕著になる。
【発明を実施するための最良の形態】
【００１３】
複数台のセンサはプラントなどのプラントデータを測定する。複数台のセンサにはそれぞれ子局ユニット設けられている。子局ユニットはタイマを有している。複数台の子局ユニットは複数台のセンサのセンサ信号を無線で送信する。親局ユニットは複数台の子局ユニットからのセンサ信号を受信する。親局ユニットは複数台の子局ユニットがセンサ信号を順次送信するタイミング時刻をタイマに予め設定し、複数台の子局ユニットから送信されるセンサ信号を順次受信する。
【実施例】
【００１４】
図1に本発明の一実施例を示す。
【００１５】
図１において、プラント１には制御盤２やプラント機器３が設置されている。制御盤２やプラント機器３にはプラントデータを検出する複数台のセンサ４が設けられている。複数台のセンサ４には信号線６を介して子局ユニット５が接続されている。複数台の子局ユニット５はそれぞれセンサ４のセンサ信号を無線で送信する。
【００１６】
監視センタ１０には複数台の子局ユニット５からのセンサ信号を受信する親局ユニット７が配置されている。親局ユニット７で受信したセンサ信号はデータ処理装置８に入力されて処理される。親局ユニット７とデータ処理装置８は電源装置９から給電される。
【００１７】
図２に子局ユニット５に一例構成図を示す。
【００１８】
無線ユニット５は、マイコン１１，無線通信制御部１２，アドレス設定部１３，アンテナ１４、電池１５、タイマ１６おとびアナログ入力部１７で構成されている。アナログ入力部１７は信号線６を介してセンサ４に接続されている。
【００１９】
次に動作を説明する。
【００２０】
監視センタ１０の親局ユニット７は計測開始時点に全ての子局ユニット５に対してデータ送信のタイミング時刻を送信しタイマ１６に設定する。送信タイミング時刻は複数台の子局ユニット５が同時に送信しないように設定される。子局ユニット５はタイマ１６に設定された送信タイミング時刻にセンサ４の検出信号（センサ信号）を送信する。
【００２１】
親局ユニット７は受信したセンサ信号をデータ処理装置８に入力して処理させる。親局ユニット７はセンサ信号を受信すると再度子局ユニット５に次の送信タイミング時刻送信する。他の子局についても順次同じ送受信を繰り返す。
【００２２】
親局ユニット７は予め設定されたアドレスを持つ子局ユニット５に対してデータ送信タイミング時刻を指令する。子局ユニット５はタイマ１６に設定された送信タイミング時刻に従い、アナログ入力部１１がセンサ４の検出信号を取込み、無線通信制御部１２からアンテナ１４を介してデータ（センサ信号）を親局ユニット７に送信する。
【００２３】
親局ユニット７と子局ユニット５間の送受信は、対象となっている１台の子局ユニット５のみ実行し、他の子局ユニット５はタイマ１６による時刻管理のみを行い、動作を停止している。
【００２４】
このようにして親局ユニットと複数台の子局ユニットとデータの送受信を行うのであるが、子局ユニットは設定された送信タイミング時刻にセンサ信号が送信されるので全子局との送受信にかかる時間を短縮でき、サンプリング周期を短くすることができる。また、子局ユニットは待機状態ではタイマ監視のみが動作するだけであり電池の消費電力を小さくできる。
【図面の簡単な説明】
【００２５】
【図１】本発明の一実施例を示す構成図である。
【図２】本発明の子局ユニットの一例構成図である。
【符号の説明】
【００２６】
１…プラント、２…制御盤、３…プラント機器、４…センサ、５…子局ユニット、６…信号線、７親局ユニット、８…データ処理装置、９…電源装置、１０…監視センタ、１１…マイコン、１２…無線通信制御部、１３…アドレス設定部、１４…アンテナ、１５…電池、１６…タイマ、１７…アナログ入力部。
【図１】
2006003946.tif 000003
【図２】
2006003946.tif 000004